(57)【要約】【課題】シリンジ先端の保護、キャップ紛失の防止、ノズルへの装着作業性の改善、そして特に汚染の防止に有効なシリンジ用キャップを提供することである。【解決手段】注射器又は体液採取器などのシリンジ用であって、バレル２０の先端部２６と係合するノズル係合部１２と、押し子後端部２８と係合する押し子係合部１４とが、同一方向に向けて設けられたシリンジ用キャップ１０とされることである。そして特に、これらの係合が液密又は気密になされることであり、テーパー面どうしの突合せ嵌合とされることである。また特に、多角柱状の側面１６を備えることであり、シリンジ係合部１２と押し子係合部１４を上向きにして自立可能なシリンジ用キャップ１０とされることである。【選択図】  図１
2004208740.tif 000002
【特許請求の範囲】
【請求項１】
先端部にノズルを備えたバレルと、バレル内にスライド自在に挿入された押し子とからなるシリンジ用のキャップであって、該ノズルを覆ってバレルの先端部と係合可能なノズル係合部と、該押し子の後端部と係合可能な押し子係合部とが同一方向に向けて設けられたシリンジ用キャップ。
【請求項２】
前記ノズル係合部と押し子係合部とが同軸上に設けられた請求項１に記載のシリンジ用キャップ。
【請求項３】
ノズル係合部と押し子係合部とが設けられた前記軸を中心とする多角柱状の側面を備えた、請求項２に記載のシリンジ用キャップ。
【請求項４】
前記ノズル係合部がノズル口を液密に封止するようにされた、請求項１から請求項３のいずれかに記載のシリンジ用キャップ。
【請求項５】
バレル先端部とノズル係合部との前記係合が、テーパー面どうしの突合せによる嵌合である、請求項１から請求項４のいずれかに記載のシリンジ用キャップ。
【請求項６】
前記押し子係合部が、押し子の後端部に設けられた通気口を気密に封止するようにされた、請求項１から請求項５のいずれかに記載のシリンジ用キャップ。
【請求項７】
押し子後端部と押し子係合部との前記係合が、テーパー面どうしの突合せによる嵌合である、請求項１から請求項６のいずれかに記載のシリンジ用キャップ。
【請求項８】
前記ノズル係合部と押し子係合部が上向きの状態で自立可能な、請求項１から請求項７のいずれかに記載のシリンジ用キャップ。
【発明の詳細な説明】
【０００１】
【発明の属する技術分野】
本発明は、薬液などの注入や血液などの採取に使用するシリンジ用のキャップに関し、より詳しくは、シリンジ先端の保護、シリンジ内の気密又は液密状態の保持、操作中のキャップの紛失防止、特に汚染の防止、などが改善されたシリンジ用キャップに関する。
【０００２】
【発明が解決しようとする課題】
従来、シリンジのバレル先端のノズルと係合して、ノズル先端を保護したり、シリンジ内の気密又は液密状態を保持したりするための、シリンジ用キャップが種々考案されてきた。これらのシリンジ用キャップの多くはゴムやプラスチックなどから成形されるが、小型であったり転がり易かったりするため、ノズル先端から一度外してしまうと、そのまま紛失してしまう恐れがあった。
【０００３】
このため、紛失防止に特に留意した、血液採取用シリンジのキャップが提案されている（例えば、特許文献１参照。）。図１５に示される市販のシリンジ用キャップ１００では、把持部１０６を挟む両側に、ノズル係合部１０２と押し子係合部１０４とが互いに背を向け合わせて設けられている。通常このシリンジ用キャップ１００は、図１６（ａ）に示されるように、バレル１１０の先端部１１６に設けたノズル１０８へ装着されている。そして、シリンジ用キャップ１００を外した時には、同図（ｂ）に示されるように、押し子１１２の後端１１８に設けられた通気口１１４に押し子係合部１０４を嵌入することによって係着させることができるようにされている。このため、シリンジ用キャップ１００が自由に転がって紛失することがなくなる。
【０００４】
ところが、このようなシリンジ用キャップ１００では、ノズル係合部１０２と押し子係合部１０４とが互いに反対方向を向いているため、押し子１１２の後端１１８に係着させた状態では、ノズル係合部１０２が外向きに露出されることになり（同図ｂ）、異物や種々の好ましくない菌が付着して汚染される恐れがあった。そして、血液などの採取を終えた後、再びノズル１０８にシリンジ用キャップ１００を取り付ければ、汚れたノズル係合部１０２と接触して、採取した血液などに汚染が広がる危険性が生じていた。
【０００５】
また、取り外したシリンジ用キャップ１００を机上に一時的に置く場合でも、ノズル係合部１０２と押し子係合部１０４とが両側に突出して露出しているため不安定で転がり易いという問題があった。そして、シリンジ用キャップ１００を机上から取り上げたり再度装着したりする際にも、露出したノズル係合部１０２に指などが触れて汚すことがあった。また、ノズル係合部１０２と押し子係合部１０４との判別が難しくて、再度装着する時に戸惑うことが多かった。
【０００６】
【特許文献１】
実公昭６４−２７２３号公報  （第２頁、第２図）
【０００７】
そこで本発明者は、上述した従来技術の問題点に鑑み、紛失されにくく、作業性が改善され、汚染の危険性が特に解消されたシリンジ用キャップを提供するべく鋭意検討を重ねた結果、本発明に至ったのである。
【０００８】
【課題を解決するための手段】
本発明に係わるシリンジ用キャップの要旨とするところは、先端部にノズルを備えたバレルと、バレル内にスライド自在に挿入された押し子とからなる注射器又は体液採取器などのシリンジ用であって、ノズルを覆ってバレルの先端部と係合可能なノズル係合部と、押し子の後端部と係合可能な押し子係合部とが同一方向に向けて設けられたことにある。
【０００９】
さらに、かかるシリンジ用キャップにおいて、ノズル係合部と押し子係合部とが同軸上に設けられたことにある。
【００１０】
さらに、ノズル係合部と押し子係合部とが同軸上に設けられたシリンジ用キャップにおいて、この軸を中心とする多角柱状の側面が備えられたことにある。
【００１１】
さらにまた、これらのシリンジ用キャップにおいて、ノズル係合部がノズル口を液密に封止するようにされたことにある。
【００１２】
さらにまた、これらのシリンジ用キャップにおいて、バレル先端部とノズル係合部との係合が、テーパー面どうしの突合せによる嵌合とされたことにある。
【００１３】
さらにまた、これらのシリンジ用キャップにおいて、押し子係合部が、押し子の後端部に設けられた通気口を気密に封止するようにされたことにある。
【００１４】
さらにまた、これらのシリンジ用キャップにおいて、押し子後端部と押し子係合部との係合が、テーパー面どうしの突合せによる嵌合とされたことにある。
【００１５】
さらにまた、これらのシリンジ用キャップにおいて、ノズル係合部と押し子係合部が上向きの状態で自立可能とされたことにある。
【００１６】
【発明の実施の形態】
次に、本発明に係わるシリンジ用キャップの実施態様について、図面に基づいて詳しく説明する。
【００１７】
図1は、本発明に係わるシリンジ用キャップの特に好ましい一例を示し、シリンジ用キャップ１０には、凹の円錐台状側面からなるノズル係合部１２と、凸の円錐台状側面からなる押し子係合部１４とが、同じ中心軸１５上に、かつ、同一方向に向けて設けられている。そして、この中心軸１５を中心とする円柱状の側面が把持部１６を形成している。ここでいう、ノズル係合部１２又は押し子係合部１４の向きとは、それぞれの係合相手と対峙する方向を意味する。
【００１８】
図２は、このシリンジ用キャップ１０が注射器に用いられる場合の一例を説明している。すなわち、注射器３４は、先端部２６にノズル１８を備えるバレル２０と、バレル２０内にスライド自在に挿入された押し子２２とから構成されており、同図（ａ）では、バレル２０の先端部２６に、ノズル１８を覆ってシリンジ用キャップ１０が係着され、同図（ｂ）では、押し子２２の後端部２８にシリンジ用キャップ１０が係着されている。
【００１９】
同図（ａ）での係着は、シリンジ用キャップ１０に備えられたノズル係合部１２と、バレル２０の先端部２６の一部を構成するノズル１８との係合によるものであり、この係合は、ノズル係合部１２の凹の円錐台状テーパー側面と、ノズル１８の凸の円錐台状テーパー側面との突合わせによる嵌合である。
【００２０】
一方、同図（ｂ）での係着は、シリンジ用キャップ１０に備えられた押し子係合部１４と押し子２２の後端部２８に設けられた窪み３２との係合によるものであり、この係合は、押し子係合部１４の凸の円錐台状テーパー側面と、窪み３２の凹の円錐台状テーパー内側面４０との突合わせによる嵌合である。
【００２１】
同図（ａ）の状態では、ノズル１８はシリンジ用キャップ１０によって覆われているので外力から保護され、保管時や運搬時に破損したり変形したりする恐れがない。また、ノズル係合部１２とノズル１８とを液密に嵌合させることによって、バレル２０内の薬液や採取血液などの漏れを防いだり、菌侵入によるバレル２０内汚染を防ぐことができる。
【００２２】
したがって、本発明のシリンジ用キャップ１０の使い方としては、単にノズル１８を保護するだけに用いる場合と、併せて、採取血液などをバレル２０内に安全に収容するために用いる場合とがある。前者の使用目的に対しては、ノズル１８を覆う形状でありさえすればよいが、後者の目的に対しては、ノズル口３６を液密に封止しなければならない。
【００２３】
本発明のシリンジ用キャップ１０を活かして、注射器３４により、検査用に血液などの体液を採取する手順を説明する。まず使用前には、図２（ａ）の状態でバレル２０の先端部にシリンジ用キャップ１０を係着しておき、ノズル１８を外力から保護しておく。次ぎに採取時には、シリンジ用キャップ１０を外してノズル１８に注射針を取り付け採取を行うのであるが、この時、外したシリンジ用キャップ１０を、図２（ｂ）に示されるように、押し子２２の後端部２８に係着させる。押し子２２の押し引きは、押し子２２の後部に設けた鍔状突起２７を引っ掛けて引いたり、シリンジ用キャップ１０の後部を押したりすることでスムーズに行える。バレル２０内への血液などの採取を終えたら、シリンジ用キャップ１０を再びバレル２０の先端部２６に戻してノズル１８に係合させ、ノズル口３６を液密に封止する。バレル２０内に採取された血液などは、漏れることも雑菌などで汚染されることもなく検査室に運ばれ、正しく検査を受けることができる。
【００２４】
同図（ｂ）で示されるように、血液などを採取する時に外したシリンジ用キャップ１０を押し子２２の後端部２８に係着させる目的は、作業中にシリンジ用キャップ１０が紛失することを防ぐためである。シリンジ用キャップ１０は小さいため、机上から転げ落ちて見失われることが多い。押し子２２の後端部２８に係着させることによって、紛失を確実に防止できるようになる。
【００２５】
本発明のシリンジ用キャップ１０の特別な効果は汚染防止にあり、血液などを採取した後に再びバレル先端部に係合される使われ方で特に顕著である。すなわち、採取作業中のシリンジ用キャップ１０は、押し子２２の後端部２８に係着されており（同図ｂ）、ノズル係合部１２は押し子２２の窪み３２内にあって外部に露出されていない。このため、シリンジ用キャップ１０を机上から取り上げたり再度装着したりする際にも、採取作業中にも、ノズル係合部１２に指などが触れて汚すことがないので、ノズル係合部１２に異物や種々の好ましくない菌が付着する恐れがない。採取を終えた後、再びノズル１８にシリンジ用キャップ１０を取り付けても、採取した血液などが汚染されることがないのである。
【００２６】
また、本発明のシリンジ用キャップ１０によれば、ノズル係合部１２と押し子係合部１４とが同じ方向を向いているので、ノズル係合部１２と押し子係合部１４とを判別して押し当て側を選定する必要がなくなり、バレル２０の先端部２６に対しても、押し子２２の後端部２８に対しても、同じ側を当てればよいので、シリンジ用キャップ１０の装着が非常に容易になる。
【００２７】
図３は、シリンジ用キャップ１０が血液採取器に用いられる場合の一例を説明している。すなわち、血液採取器４２は、先端部２６にノズル１８を備えるバレル２０と、バレル２０内にスライド自在に挿入された押し子２２とから構成されており、同図（ａ）では、バレル２０の先端部２６に、ノズル１８を覆ってシリンジ用キャップ１０が係着され、同図（ｂ）では、押し子２２の後端部２８にシリンジ用キャップ１０が係着されている。
【００２８】
本例では、押し子２２を貫通する空気排出ルート４４が設けられ、その一端は後端部２８に設けられた窪み３２内に開口して通気口５０を形成し、他の一端はフィルター４８を介しガスケット３０に設けられた通気孔４６に通じている。フィルター４８は水膨潤性材料などからなり、乾いた状態では空気が通過できるが、血液などが触れると膨潤してその通路を閉じるようにされている。
【００２９】
この血液採取器４２を用いて採血を行うには、シリンジ用キャップ１０を外してノズル１８に注射針を取り付け、押し子２２を引いてバレル２０内に空間３５を形成させ、動脈などに穿刺を行う。すると、血圧に押されて血液が空間３５内に自動的に進入する。空間３５内の空気は血液に押し出されて、通気孔４６、フィルター４８、空気排出ルート４４、通気口５０を経て外部に排出されるが、やがて、血液がフィルター４８に触れるようになって空気排出ルート４４が閉じられ、採血が終了する。この常圧下で採血する方法は血液ガス分析などの血液検査に広く用いられている。
【００３０】
採血後の血液採取器４２は、シリンジ用キャップ１０によってノズル口３６が再び液密に封止される。そして、検査室に運ばれて所定の検査に供されるのであるが、注射器３４の場合に上述したように、採血作業中のシリンジ用キャップ１０が清潔に保たれるので、シリンジ用キャップ１０から採取血液へ汚染が広がる恐れはない。
【００３１】
本発明の特に好ましい実施態様では、通気口５０が気密に封止されるようにして、押し子後端部２８と押し子係合部１４とが係合する。血圧を利用して常圧のバレル２０内に血液を導く上述の採血方法では、小児や高齢者などの血圧が低い患者に対しての採血が難しい場合がある。通気口５０が気密に閉ざされていれば、通常の注射器のように、押し子２２を引くことにより陰圧の空間３５を形成することができるので、血圧だけによるよりも確実に採血できるようになる。
【００３２】
シリンジ用キャップ１０は、ノズル係合部１２と押し子係合部１４とが同一方向を向いていれさえすればよく、図１に示される形状に限定されない。例えば、ノズル係合部１２の内側にあってノズル１８内に挿入される突起１３が省かれた、図４に示されるような形状であってもよい。あるいは、背面の凹部１７が省かれた、図５に示されるような形状であってもよい。あるいはまた、前面の環状窪み１９が省かれた、図６に示されるような形状であってもよい。
【００３３】
図７に示されるシリンジ用キャップ１０では、ノズル係合部１２が押し子係合部１４としても機能する。したがって、押し子係合部１４を別に設ける必要がない。このシリンジ用キャップ１０が用いられる注射器の一例を図８に示し、同図（ａ）は、バレル２０の先端部２６にシリンジ用キャップ１０が係着されている状態を、同図（ｂ）は、押し子２２の後端部２８にシリンジ用キャップ１０が係着されている状態を示している。押し子２２の後端部２８の側面５４が、ノズル１８の側面３８と同形状とされているため、ノズル係合部１２と係合可能であり、ノズル係合部１２がそのまま押し子係合部１４としても機能するのである。
【００３４】
ノズル係合部１２が押し子係合部１４としても機能するシリンジ用キャップ１０の他の例を図９に示し、このシリンジ用キャップ１０とバレル２０の先端部２６との係合状態を図１０に示す。ノズル係合部１２は、雄ねじ５６を配した円筒側面として設けられ、バレル２０の先端部２６に設けられたカラー６０の内側面の雌ねじ５８と螺合する。深く螺合させて、シリンジ用キャップ１０の底面６２をノズル口３６に押し当て、ノズル口３６を液密に封止することもできる。シリンジ用キャップ１０との係合のため、雄ねじ５６と螺合可能な雌ねじが押し子後端部２８に設けられる。
【００３５】
また、図１１に例示されるシリンジ用キャップ１０では、ノズル１８と嵌合する凹の円錐台状ノズル係合部１２と、雄ねじ５６を備え、押し子後端部２８に設けられた雌ねじと螺合する押し子係合部１４とが別々に設けられている。
【００３６】
また、図１２に例示されるシリンジ用キャップ１０では、ノズル１８と嵌合する凹の円錐台状ノズル係合部１２と、環状突起６４を備え、押し子後端部２８に設けられた環状溝と嵌り合う押し子係合部１４とが別々に設けられている。
【００３７】
上述したように、バレル２０の先端部２６とノズル係合部１２との係合、あるいは、押し子後端部２８と押し子係合部１４との係合は、テーパー面どうしの突合せ嵌合、螺合、凹凸嵌合等々により実行されるが、特に好ましくは、テーパー面どうしの突合せ嵌合による。テーパー面どうしを密着させることにより、液密又は気密の封止を容易に行うことができる。また、突合せなので、押し引きという単純な動作で係合させたり外したりでき、片手での係合作業も可能である。
【００３８】
図１に示されるシリンジ用キャップ１０と同様に、すでに例示した幾つかのシリンジ用キャップ１０では、いずれも、ノズル係合部１２と押し子係合部１４とが同軸上に設けられている。同軸上に設けることは、コンパクトな形状を可能にし成形を容易にする効果があるので、特に好ましいことである。しかしながら本発明は、両者を同軸上に設けることに限定されない。
【００３９】
例えば、図１３に示されるシリンジ用キャップ１０では、ノズル係合部１２の中心軸１５から離れて偏った位置に、点状の突起６６からなる押し子係合部１４が設けられている。係合相手の押し子後端部２８には、突起６６と凹凸嵌合する点状の窪みが設けられる。あるいは畝状突起が設けられ、シリンジ用キャップ１０を回転することによって突起６６をその奥側に進入させ、畝状突起に引っ掛けてシリンジ用キャップ１０が抜け落ちないようにすることもできる。
【００４０】
シリンジ用キャップ１０の側面に形成される把持部１６は、作業中に手指が触れる場所である。その形状は特に限定されないが、ノズル係合部１２や押し子係合部１４と同じ軸上に設けられるのが好ましい。図１又は図１３に示されるシリンジ用キャップ１０では、中心軸１５を同じくする円柱状側面からなる把持部１６であった。
【００４１】
そして本発明の特に好ましい実施態様では、ノズル係合部１２と押し子係合部１４とが同軸上に設けられたシリンジ用キャップ１０において、この軸を中心とする多角柱状の側面を備え、これを把持部１６とするのである。多角柱状のため滑りにくくなり確実に把持できるようになる。また、シリンジ用キャップ１０を装着した注射器などが机上に置かれた時に、把持部１６が多角柱状で回転しにくいため、注射器などが転げ落ちたりしなくなる。三角〜八角の正多角柱状とされるのが特に好ましい。
【００４２】
また本発明の特に好ましい別の実施態様では、ノズル係合部１２と押し子係合部１４が上向きの状態で自立可能なシリンジ用キャップ１０とされる。自立させることによって机上から転がり落ちたりするのを防ぐことができる。また、ノズル係合部１２や押し子係合部１４が上向きで静止しているので、バレル２０の先端部２６や押し子２２の後端部２８との係合作業が楽になり、片手でも行えるようになる。その結果、採血後のバレル２０にシリンジ用キャップ１０を装着させる場合などには、手指への血液接触の危険性が避けられるようになって、安全性が格別に向上する。
【００４３】
シリンジ用キャップ１０の材質は特に限定されないが、低コストなポリプロピレン、ポリエチレン、ポリアセタールなどの熱可塑性樹脂、封止性に優れた天然ゴム、イソプレンゴム、シリコンゴム、ポリウレタン、熱可塑性エラストマーなどのゴム状弾性体、等々が好ましく用いられる。
【００４４】
以上、本発明に係わるシリンジ用キャップについて詳細に説明してきたが、本発明は上述の引用・例示に限定されず、シリンジ用キャップの形状や材質、用いられる注射器や体液採取器などの種類や構成、バレル先端部とノズル係合部との係合手段、押し子後端部と押し子係合部との係合手段などにつき、本発明の趣旨を逸脱しない範囲で、当業者の知識に基づき種々なる改良、修正、変化を加えた態様で実施し得るものである。
【００４５】
【発明の効果】
本発明に係わるシリンジ用キャップによれば、ノズルを覆うノズル係合部が設けられているので、外力から保護されて、ノズルが損傷したり変形したりする危険性が低減する。また、押し子係合部が設けられて、採血中などは押し子の後端部に係着されるので、紛失などの恐れがなくなる。
【００４６】
また、ノズル係合部と押し子係合部とが同一方向を向いているので、採血中などに押し子後端部に係着されたシリンジ用キャップでは、ノズル係合部は押し子後端の窪み内にあって外部に露出されていない。このため、採血中や、再度装着する時や、シリンジ用キャップを机上から取り上げたりする際にも、ノズル係合部に指などが触れて汚すことがないので、ノズル係合部に異物や種々の好ましくない菌が付着する恐れがない。したがって、採血などを終えた後に、再びノズルにシリンジ用キャップを取り付けても、シリンジ用キャップを介して採取した血液などが汚染されることがない。
【００４７】
また、ノズル係合部と押し子係合部とが同じ方向を向いているので、バレルの先端部に係合させる時、押し子後端部に係合させる時、のそれぞれに合わせてノズル係合部と押し子係合部とを判別しシリンジ用キャップの向き決める必要がなくなり、シリンジ用キャップの装着作業が非常に楽になる。
【００４８】
そして特に、ノズル係合部と押し子係合部とを同軸上に設けることにより、コンパクトな形状を可能にし成形を容易にすることができる。
【００４９】
また特に、ノズル係合部と押し子係合部とが同軸上に設けられたシリンジ用キャップにおいて、この軸を中心とする多角柱状の側面を備えることにより、滑りにくくなるため確実に把持できるようになり、また、シリンジ用キャップを装着した注射器などが机上で回転しにくくなるので、机上から転げ落ちるなどのトラブルが発生しないようになる。
【００５０】
また特に、ノズル係合部がノズル口を液密に封止するようにして、バレル内に採取された血液などの漏れや、雑菌の侵入などによる汚染をより確実に防止することができる。
【００５１】
また特に、バレルの先端部とノズル係合部との係合、あるいは、押し子後端部と押し子係合部との係合を、テーパー面どうしの突合せ嵌合とすることにより、液密又は気密の封止を容易に行うことができるようになる。また、押し引きという単純な動作で係合させたり外したりできるので、片手での係合作業も可能になる。
【００５２】
また特に、バレル内と通じる通気口を備えた押し子に対し、その通気口が気密に封止されるようにして、押し子後端部と押し子係合部とを係合することにより、押し子を引くことによるバレル内陰圧空間の形成を可能とし、血圧だけを利用した常圧下採血よりも、血圧の低い患者に対してより確実に採血できるようになる。
【００５３】
また特に、ノズル係合部と押し子係合部が上向きの状態で自立可能なシリンジ用キャップとすることにより、机上などからの転落を防ぐことができ、バレル先端部や押し子後端部との係合作業を楽にして片手でも行えるようになる。
【図面の簡単な説明】
【図１】本発明に係わるシリンジ用キャップの一例を示し、同図（ａ）は斜視図、同図（ｂ）は縦断面図である。
【図２】本発明に係わり、図１に示されるシリンジ用キャップの使用方法の一例を説明し、同図（ａ）はバレル先端への装着状態、同図（ｂ）は押し子への装着状態を示す縦断面図である。
【図３】本発明に係わり、図１に示されるシリンジ用キャップの使用方法の他の一例を説明し、同図（ａ）はバレル先端への装着状態、同図（ｂ）は押し子への装着状態を示す縦断面図である。
【図４】本発明に係わるシリンジ用キャップの他の一例を示す縦断面図である。
【図５】本発明に係わるシリンジ用キャップの他の一例を示す縦断面図である。
【図６】本発明に係わるシリンジ用キャップの他の一例を示す縦断面図である。
【図７】本発明に係わるシリンジ用キャップの他の一例を示す縦断面図である。
【図８】本発明に係わり、図７に示されるシリンジ用キャップの使用方法の一例を説明し、同図（ａ）はバレル先端への装着状態、同図（ｂ）は押し子への装着状態を示す縦断面図である。
【図９】本発明に係わるシリンジ用キャップの他の一例を示す縦断面図である。
【図１０】本発明に係わり、図９に示されるシリンジ用キャップの使用方法の一例を説明する縦断面図である。
【図１１】本発明に係わるシリンジ用キャップの他の一例を示す縦断面図である。
【図１２】本発明に係わるシリンジ用キャップの他の一例を示す縦断面図である。
【図１３】本発明に係わるシリンジ用キャップの他の一例を示す斜視図である。
【図１４】本発明に係わるシリンジ用キャップの他の一例を示す斜視図である。
【図１５】従来例に係わるシリンジ用キャップの一例を示す縦断面図である。
【図１６】従来例に係わり、図１５に示されるシリンジ用キャップの使用方法の一例を説明し、同図（ａ）はバレル先端への装着状態、同図（ｂ）は押し子への装着状態を示す縦断面図である。
【符号の説明】
１０、１００：シリンジ用キャップ
１２、１０２：ノズル係合部
１３、６６：突起
１４、１０４：押し子係合部
１５：中心軸
１６、１０６：把持部
１７：凹部
１８、１０８：ノズル
１９：環状窪み
２０、１１０：バレル
２２、１１２：押し子
２６、１１６：先端部
２７：鍔状突起
２８、１１８：後端部
３０、１２４：ガスケット
３２：窪み
３４：注射器
３５：空間
３６、１３２：ノズル口
３８、１３０：ノズル側面
４０：窪みの内側面
４２，１２２：血液採取器
４４：空気排出ルート
４６：通気孔
４８、１２６：フィルター
５０、１１４：通気口
５４：側面
５６：雄ねじ
５８：雌ねじ
６０、１２８：カラー
６２：キャップの底面
６４：環状突起
１２０：通気口の内側面
【図１】
2004208740.tif 000003
【図２】
2004208740.tif 000004
【図３】
2004208740.tif 000005
【図４】
2004208740.tif 000006
【図５】
2004208740.tif 000007
【図６】
2004208740.tif 000008
【図７】
2004208740.tif 000009
【図８】
2004208740.tif 000010
【図９】
2004208740.tif 000011
【図１０】
2004208740.tif 000012
【図１１】
2004208740.tif 000013
【図１２】
2004208740.tif 000014
【図１３】
2004208740.tif 000015
【図１４】
2004208740.tif 000016
【図１５】
2004208740.tif 000017
【図１６】
2004208740.tif 000018